(57)【要約】【課題】配線工事が不要になり既築住宅の温水床暖房の設置工事の施工性を格段に向上させることができ、より快適な温水床暖房システムを提供する。【解決手段】無線床暖房リモコン９Ａからの無線信号を受ける通信ユニット９ｂと通信ユニット９ｂの信号を受ける制御ユニット９ｃは、往分岐管６から分岐して床暖房パネル９へ連接する温水供給管１０上に設けた温水弁９ｄの近傍に設置され、無線床暖房リモコン９Ａからの床暖房の発停信号を受け、温水弁９ｄを開閉するともに、１台以上の放熱機３内に有する接点回路と並列接続された制御ユニット９ｃ内の熱源機１へ運転を指示する接点信号を開閉する。【選択図】  図１
2004169982.tif 000002
【特許請求の範囲】
【請求項１】
発熱体と発熱体から熱を吸収する吸熱熱交換器と加熱した温水を搬送するポンプとを備える熱源機と、前記温水にて室内を暖房する放熱熱交換器とファンと温水弁とを備える１台以上の放熱機と、前記温水にて室内を暖房する床暖房パネルと、この床暖房パネルを遠隔操作する無線床暖房リモコンと、無線床暖房リモコンからの無線信号を受ける通信ユニットと、通信ユニットの信号を受ける制御ユニットと、前記熱源機からの温水を各放熱機および床暖房パネルへ分岐する往分岐管と復分岐管と、往分岐管から分岐して前記床暖房パネルへ連接する温水供給管上に設けた温水弁とを備え、前記通信ユニットと前記制御ユニットは、前記温水供給管上に設けた温水弁の近傍に設置され、前記無線床暖房リモコンからの床暖房の発停信号を受け、前記温水供給管上に設けた温水弁を開閉するともに、前記各放熱機内に有する接点回路と並列接続された前記制御ユニット内の熱源機へ運転を指示する接点信号を開閉することを特徴とする無線温水床暖房システム。
【請求項２】
前記往分岐管に温度センサーを設け、この温度センサーの検出温度に応じて前記制御ユニットが前記温水供給管上に設けた温水弁の開弁率を制御することを特徴とする請求項１記載の無線温水床暖房システム。
【請求項３】
前記床暖房パネルに温度センサーを設け、この温度センサーの検出温度に応じて前記制御ユニットが前記温水供給管上に設けた温水弁の開弁率を制御することを特徴とする請求項１記載の無線温水床暖房システム。
【請求項４】
前記制御ユニットと熱源機との間を専用の信号線にて接続し、制御ユニットから熱源機への運転指示、温水温度要求およびその受諾返信を有線の通信電文で行うことを特徴とする請求項１記載の無線温水床暖房システム。
【請求項５】
熱源機への運転指示を無線信号で受ける熱源機通信ユニットを熱源機の近傍に設け、前記放熱機内に有する接点回路と並列接続された前記熱源機通信ユニット内の熱源機へ運転を指示する接点信号を開閉することを特徴とする請求項１記載の無線温水床暖房システム。
【請求項６】
熱源機への運転指示、温水温度要求およびその受諾返信を無線信号で受ける熱源機通信ユニットと熱源機との間を専用の信号線にて接続し、熱源機通信ユニットから熱源機への運転指示、温水温度要求およびその受諾返信を有線の通信電文で行うことを特徴とする請求項５記載の無線温水床暖房システム。
【発明の詳細な説明】
【０００１】
【発明の属する技術分野】
本発明は、温水床暖房の制御システムに関するもので、特に住宅リフォーム等で温水床暖房の施工に関するものである。
【０００２】
【従来の技術】
従来の温水暖房システムは、図７に示すようなものが一般的であった。この従来例は、バーナ１ａにて加熱熱交換器１ｂを介して加熱された温水をポンプ１ｃにて搬送する熱源機１と、温水から熱を放熱する放熱熱交換器２ａとファン２ｂと温水弁２ｃとを備える放熱機２と、放熱機２と同型の放熱機３と、放熱機２と同様の要素部品を持つ温水エアコン４と、放熱機２と同様の要素部品を持つ浴室暖房機５とが、熱源機１と隔離した床下もしくは壁面内の隠蔽部に設置された往分岐管６および復分岐管７にて分岐されて配管接続されている。放熱機２、放熱機３、温水エアコン４、浴室暖房機５（これらはまとめて各端末と称す。）と熱源機１とは信号線８にて接点並列接続されている。図８はこの簡略回路図である。
【０００３】
図８において、各端末のいずれかの運転スイッチがＯＮ操作されると、内蔵する温水弁、たとえば放熱機２の場合は温水弁２ｃ（図７）が開弁されるとともに、接点信号２ｄがＯＮとなり熱源機１内のトランジスタ１ｄがＯＮとなり熱源機１へ運転指示される。
【０００４】
図９は図７に示すような既存の温水暖房システムをリフォーム等の住宅の増改築で放熱機２を床暖房パネル９に置き換えた場合の温水床暖房システムである。
【０００５】
既存の床板上に床暖房パネル９を貼り付け設置し、往分岐管６および復分岐管７から従来の温水暖房システムの放熱機２までの配管はそのまま流用して床暖房パネル９を接続し、床暖房パネル９を設置する室内の壁に、床暖房パネル９を遠隔操作する有線式の床暖房リモコン９ａを、往分岐管６から床暖房パネル９までの温水供給管１０上に温水弁９ｄを設置する。床暖房リモコン９ａは信号線９ｉを介して温水弁９ｄを開閉制御すると同時に、信号線９ｈを介して接点信号にて熱源機１へ運転の発停指示を出す。
【０００６】
また、従来の温水暖房システムとして、無線床暖房リモコンを使用する例もあった（たとえば、特許文献１参照）。図１０は前記特許文献１に記載されていた従来の無線温水床暖房システムを示すものである。
【０００７】
図１０において、１１は熱源機で、試験運転スイッチ１７と不揮発性メモリ１８が設けられ、１６ａ、１６ｂ、１６ｃ、１６ｄは無線床暖房リモコンで、１３ａ、１３ｂ、１３ｃ、１３ｄは温水弁で、１４ａ、１４ｂ、１４ｃ、１４ｄは温水往パイプで、１２ａ、１２ｂ、１２ｃ、１２ｄは床暖房パネルで、１５は温水復パイプである。熱源機１１と無線床暖房リモコン１６ａ、１６ｂ、１６ｃ、１６ｄの間は無線化されているが、温水弁１３ａ、１３ｂ、１３ｃ、１３ｄは熱源機１１の直下に設置されており、有線接続されていた。
【０００８】
【特許文献１】
特開２０００−１１１０６４号公報（第５−７頁、図１）
【０００９】
【発明が解決しようとする課題】
しかしながら、図９のような温水床暖房システムでは、往分岐管６および往分岐管６から床暖房パネル９まで至る温水供給管１０が熱源機１と隔離した床下もしくは壁面内の隠蔽部に設置されている。このため往分岐管６および復分岐管７用の点検窓を利用するか、もしくは、局部的に床板または壁板を剥離させることで、温水供給管１０上に温水弁９ｄを設置することはできたとしても、床暖房パネル９を貼り付け設置する室内の壁に取り付けた床暖房リモコン９ａから温水弁９ｄへ接続する信号線９ｉや熱源機１へ接続する信号線９ｈは、大規模な壁板や床板の剥離を伴う工事ではないので、工事者が床下に潜り込んで配線するか、もしくは、室内美観を損なう露出配線をするかという配線工事上の課題を有していた。
【００１０】
また、床暖房パネルへ供給する温水温度の最適値は６０℃であるのに対し、放熱機、温水エアコン、浴室暖房機へ供給する温水温度の最適値は８０℃である。新築もしくは新たに温水床暖房システムを設置する場合では、床暖房用の６０℃温水の取れる出水口とその他放熱機用の８０℃温水の取れる出水口の双方を持つ熱源機を設置し、床暖房パネルは６０℃出水口と、その他放熱機は８０℃出水口と接続することができるが、熱源機１を取り替えることはもとより高価となり、また、往分岐管６が床下もしくは壁面内の隠蔽部に設置されている場合、往分岐管６そのものを取り外し、熱源機１より直接配管することはさらに困難となる。
【００１１】
従って、熱源機１から８０℃温水の供給される往分岐管６に床暖房パネル９を接続せざるを得ない。
【００１２】
このとき、床暖房単独使用であれば、温水温度が８０℃であってもユーザーが床暖房リモコン９ａを操作して温水弁９ｄの開弁率を下げて床暖房パネル９の表面温度を最適に保つことが可能であるが、放熱機３、温水エアコン４、浴室暖房機５のいずれかがＯＮすると、一時的に温水温度が下がり、それに連動して床暖房パネル９の表面温度も低下し、快適性を損ねるという課題を有していた。
【００１３】
また、図１０のような温水床暖房システムでは、熱源機１１のごく近傍で温水往パイプ１４ａ〜１４ｄが分岐され、各床暖房パネル１２ａ、１２ｂ、１２ｃ、１２ｄに連接する温水弁１３ａ、１３ｂ、１３ｃ、１３ｄは熱源機１１の直下で有線接続する必要があり、すでに熱源機１１から離れた床下等に往分岐管６、復分岐管７が設置されている図７のような場合でも、同様に温水弁への配線は工事者が床下に潜り込んで配線するか、もしくは、室内美観を損なう露出配線をするかという配線工事上の課題を有していた。
【００１４】
【課題を解決するための手段】
本発明は、上記課題を解決するために床暖房リモコンを無線化し、この無線床暖房リモコンからの信号を受ける通信ユニットと、通信ユニットからの信号を受けて熱源機の運転を制御する制御ユニットとを、温水供給管上に設けた温水弁の近傍に設置したものである。
【００１５】
上記発明によると、無線床暖房リモコンと温水供給管上に設けた温水弁との配線を無線化することで、そのための床下配線あるいは露出配線の工事が不要となるため、既築住宅の温水床暖房のリフォーム工事の施工性を格段に向上させることができるとともに、熱源機と前記温水弁とを制御ユニットを介して有線接続し、しかも制御ユニットは点検窓を利用して設置できる温水弁の近傍にあるので、図１０で示したような熱源機の直下で温水弁と有線接続する際の配線工事上の不都合を解消することができる。
【００１６】
【発明の実施の形態】
本発明の請求項１では、発熱体と発熱体から熱を吸収する吸熱熱交換器と加熱した温水を搬送するポンプとを備える熱源機と、前記温水にて室内を暖房する放熱熱交換器とファンと温水弁とを備える一台以上の放熱機と、前記温水にて室内を暖房する床暖房パネルと、床暖房パネルを遠隔操作する無線床暖房リモコンと、無線床暖房リモコンからの無線信号を受ける通信ユニットと、通信ユニットの信号を受ける制御ユニットと、前記熱源機からの温水を各放熱機および床暖房パネルへ分岐する往分岐管と復分岐管と、往分岐管から分岐して前記床暖房パネルへ連接する温水供給管上に設けた温水弁とを備え、前記通信ユニットと前記制御ユニットは、前記温水供給管上に設けた温水弁の近傍に設置され、前記無線床暖房リモコンからの床暖房の発停信号を受け、前記温水供給管上に設けた温水弁を開閉するともに、前記各放熱機内に有する接点回路と並列接続された前記制御ユニット内の熱源機へ運転を指示する接点信号を開閉することを特徴とするものである。
【００１７】
このことによれば、各放熱機から熱源機へ運転指示を送る接点信号線が、リフォーム以前より温水供給管と平行して配線されている場合は、無線床暖房リモコンと温水弁との配線のみ無線化することでそのための配線工事が不要となるとともに、熱源機と前記温水弁とを制御ユニットを介して有線接続し、しかも制御ユニットは点検窓を利用して設置できる温水弁の近傍にあるので、熱源機の直下で温水弁と有線接続する際の配線工事上の不都合を解消することができ、既築住宅の温水床暖房のリフォーム工事の施工性を格段に向上させる温水床暖房システムを提供することができる。
【００１８】
本発明の請求項２では、前記往分岐管に温度センサーを設け、この温度センサーの検出温度に応じて前記制御ユニットが温水供給管上に設けた温水弁の開弁率を制御するようにしたもので、床暖房パネルと他の温水暖房端末とを同時に使用した場合でも、快適な温水床暖房システムを提供することができる。
【００１９】
本発明の請求項３では、前記床暖房パネルに温度センサーを設け、この温度センサーの検出温度に応じて前記制御ユニットが前記温水供給管上に設けた温水弁の開弁率を制御するようにしたもので、制御ユニットが床暖房パネルそのものの温度変化を検出して制御できるので、熱源機からの温水温度の変化だけでなく、外気温の変化や床暖房パネルの設置されている部屋でストーブなどの他の暖房器具と併用された場合に、床暖房パネルの表面温度変化を最小限に抑えることができる等、さらにきめこまかく制御をすることで、より快適な温水床暖房が可能となる。
【００２０】
本発明の請求項４では、前記制御ユニットと熱源機との間を専用の信号線にて接続し、制御ユニットから熱源機への運転指示、温水温度要求およびその受諾返信を有線の通信電文で行うことを特徴とするもので、前記制御ユニットは熱源機へ温水温度の要求ができ、かつ、熱源機からの可否の返信を受けることで、温水供給管上に設けた温水弁の開弁率をきめこまかく制御をすることができる。
【００２１】
本発明の請求項５では、熱源機への運転指示を無線信号で受ける熱源機通信ユニットを熱源機の近傍に設け、前記放熱機内に有する接点回路と並列接続された前記熱源機通信ユニット内の熱源機へ運転を指示する接点信号を開閉することを特徴とするもので、往分岐管が熱源機と遠隔の隠蔽部に設置されている場合など、前記温水弁の近傍に設置した制御ユニットと熱源機とが信号線接続できない場合でも、そのための配線工事が不要となり、容易に温水床暖房システムを提供することができる。
【００２２】
本発明の請求項６では、前記熱源機通信ユニットと熱源機との間を専用の信号線にて接続し、熱源機への運転指示、温水温度要求およびその受諾返信を無線信号で受ける熱源機通信ユニットから熱源機への運転指示、温水温度要求およびその受諾返信を有線の通信電文で行うことを特徴とするもので、前記温水弁の近傍に設置した制御ユニットと熱源機との間の配線工事が不要となり、かつ、快適な温水床暖房システムを提供することができる。
【００２３】
【実施例】
以下、本発明の実施例について図面を用いて説明する。
【００２４】
（実施例１）
図１は本発明の実施例１の無線温水床暖房システムのブロック構成図である。
【００２５】
この無線温水床暖房システムは、発熱体１ｄと発熱体１ｄから熱を吸収する吸熱熱交換器１ｅと加熱した温水を搬送するポンプ１ｃとを備える熱源機１と、前記温水にて室内を暖房する放熱熱交換器３ａとファン３ｂと温水弁３ｃとを備える放熱機３と、前記温水にて室内を暖房する床暖房パネル９と、放熱機３と同様の要素部品を持つ温水エアコン４と、放熱機３と同様の要素部品を持つ浴室暖房機５とが、熱源機１と隔離した床下もしくは壁面内の隠蔽部に設置された往分岐管６および復分岐管７にて分岐されて配管接続されている。１０は、往分岐管６から分岐して床暖房パネル９へ連接する温水供給管である。前記配管接続により、放熱機３、温水エアコン４、浴室暖房機５、床暖房パネル９と熱源機１とがそれぞれ信号線８にて接点並列接続されている。その回路図は図８で示した通りである。
【００２６】
９Ａは床暖房パネル９を遠隔操作する無線床暖房リモコンであり、この無線信号を受ける通信ユニット９ｂと通信ユニット９ｂに隣接する制御ユニット９ｃは、温水弁９ｄの近傍に設置されている。往分岐管６および復分岐管７用の点検窓を利用して、制御ユニット９ｃと、温水供給管１０上に設けられる温水弁９ｄとが配線接続され、また、制御ユニット９ｃと熱源機１とが信号線８にて接点並列接続されている。
【００２７】
制御ユニット９ｃは無線床暖房リモコン９Ａからの床暖房の発停信号を受け、温水供給管１０上に設けた温水弁９ｄを開閉するともに、放熱機３、温水エアコン４、浴室暖房機５の内部に有する接点回路と並列接続された制御ユニット９ｃ内の熱源機１へ運転を指示する接点信号を開閉することで、熱源機１が運転状態となり床暖房パネル９へ温水を供給することができる。
【００２８】
このように実施例１によれば、無線床暖房リモコン９Ａから温水弁９ｄへ接続する信号線や熱源機１へ接続する信号線が不要となるとともに、熱源機１と温水弁９ｄとを制御ユニット９ｃを介して有線接続し、しかも制御ユニット９ｃは点検窓を利用して設置できる温水弁９ｄの近傍にあるので、従来の無線床暖房システム（図１０）のように、熱源機１の直下で温水弁９ｄと有線接続する際の配線工事上の不都合を解消することができ、既築住宅の温水床暖房のリフォーム工事の施工性を格段に向上させる温水床暖房システムを提供することができる。
【００２９】
（実施例２）
図２は本発明の実施例２の無線温水床暖房システムのブロック構成図であり、図１で示したものと同一の構成要素には同一符号を付けその説明は省略する。
【００３０】
実施例２では実施例１の状態に加えて、往分岐管６に温度センサー９ｅ１  が設置され、制御ユニット９ｃと配線接続されている。
【００３１】
熱源機１からの温水がある適当な開弁率の温水弁９ｄを介して床暖房パネル９が適温に保たれている状態のときに、放熱機３、温水エアコン４、浴室暖房機５のいずれかがＯＮされると、一時的に温水の温度が低下する。この温水の低下を温度センサー９ｅ１  にて検出すると、制御ユニット９ｃが温水弁９ｄの開弁率を上げて、床暖房パネル９の表面温度の低下を防ぐことができる。
【００３２】
このように実施例２によれば、床暖房パネル９と放熱機３、温水エアコン４、浴室暖房機５等、他の放熱機である温水暖房端末とを同時に使用した場合でも、無線温水床暖房システムとしての快適性は損なわれない。
【００３３】
（実施例３）
図３は本発明の実施例３の無線温水床暖房システムのブロック構成図であり、図１で示したものと同一の構成要素には同一符号を付けその説明は省略する。
【００３４】
実施例３では温度センサー９ｅ２  が床暖房パネル９に設置され、制御ユニット９ｃと配線接続されている。
【００３５】
このように実施例３によれば、制御ユニット９ｃが床暖房パネル９そのものの温度変化を温度センサー９ｅ２  にて検出して温水弁９ｄの開弁率を制御することができるので、熱源機１からの温水温度の変化だけでなく、外気温の変化や床暖房パネル９の設置されている部屋でストーブなどの他の暖房器具と併用された場合に、床暖房パネル９の表面温度変化を最小限に抑えることができる。
【００３６】
（実施例４）
図４は本発明の実施例４の無線温水床暖房システムのブロック構成図であり、図１で示したものと同一の構成要素には同一符号を付けその説明は省略する。
【００３７】
実施例４では、放熱機３、温水エアコン４、浴室暖房機５の内部に有する接点回路と並列接続された信号線８とは別に、制御ユニット９ｃと熱源機１との間を専用の信号線９ｆにて接続し、制御ユニット９ｃから熱源機への運転指示、温水温度要求およびその受諾返信を有線の通信電文で行うものである。
【００３８】
はじめに無線床暖房リモコン９ＡのみがＯＮされると、その信号を通信ユニット９ｂ経由で受けた制御ユニット９ｃは、熱源機１へ運転指示と６０℃の温水温度要求を行う。制御ユニット９ｃは熱源機１からの受諾の返信を受けると、温水温度６０℃用の開弁率で温水弁９ｄを制御する。
【００３９】
たとえば、放熱機３、温水エアコン４、浴室暖房機５のいずれかがＯＮされると、一時的に温水温度が低下する旨の信号を熱源機１は通信ユニット９ｂに電文通信するので、制御ユニット９ｃは温水弁９ｄの開弁率を上げる。その後、温水温度が上昇し始めると、通信ユニット９ｂは熱源機１から温水温度８０℃の電文通信を受けると、制御ユニット９ｃは温水温度８０℃用の開弁率で温水弁９ｄを制御する。
【００４０】
このように実施例４によれば、制御ユニット９ｃによって熱源機１へ温水温度の要求ができ、熱源機１からの可否の返信を受けることで、きめ細かな温水弁９ｄの制御を行うことができる。
【００４１】
（実施例５）
図５は本発明の実施例５の無線温水床暖房システムのブロック構成図であり、図１で示したものと同一の構成要素には同一符号を付けその説明は省略する。
【００４２】
実施例５では、熱源機通信ユニット９ｇを熱源機１の近傍に設け、熱源機通信ユニット９ｇ内の熱源機１へ運転指示する接点を放熱機３、温水エアコン４、浴室暖房機５の内部に有する接点回路と信号線８と並列接続されている。無線床暖房リモコン９Ａが操作されると、無線床暖房リモコン９Ａは発停信号を送信する。
【００４３】
これを通信ユニット９ｂと熱源機通信ユニット９ｇの双方で受け、通信ユニット９ｂからこの情報を受けた制御ユニット９ｃは温水弁９ｄを開閉制御する一方、熱源機制御ユニット９ｇはその内部の接点を開閉して熱源機１への運転・停止指示を伝える。
【００４４】
このように実施例５によれば、往分岐管６が熱源機１と遠隔の隠蔽部に設置されている場合など、温水弁９ｄの近傍に設置した制御ユニット９ｃと熱源機１とが有線接続できない場合でも接続が可能で、配線工事も不要となり、容易に温水床暖房システムを提供することができる。
【００４５】
（実施例６）
図６は本発明の実施例６の無線温水床暖房システムのブロック構成図である。図１で示したものと同一の構成要素には同一符号を付けその説明は省略する。
【００４６】
実施例６では、熱源機通信ユニット９ｇと熱源機１との間は、熱源機１と放熱機３、温水エアコン４、浴室暖房機５の内部に有する接点回路とを接続している信号線８とは別な専用の信号線９ｆで接続されている。
【００４７】
はじめに、無線床暖房リモコン９Ａが操作されると、無線床暖房リモコン９Ａは運転指示と、６０℃温水の要求を無線信号で送信する。これを通信ユニット９ｂと熱源機通信ユニット９ｇの双方で受け、通信ユニット９ｂからこの情報を受けた制御ユニット９ｃは温水弁９ｄを６０℃温水の開弁率で制御する一方、熱源機制御ユニット９ｇは運転指示と、６０℃温水要求を通信電文で熱源機１へ送信する。
【００４８】
たとえば、放熱機３、温水エアコン４、浴室暖房機５のいずれかがＯＮされると、一時的に温水温度が低下する旨の信号を熱源機１は熱源機通信ユニット９ｇに電文通信し、熱源機通信ユニット９ｇはこれを通信ユニット９ｂに無線通信する。この情報を受けた制御ユニット９ｃは温水弁９ｄの開弁率を上げる。
【００４９】
その後、温水温度が上昇し始めると、再び同じ経路で通信ユニット９ｃは熱源機１から温水温度８０℃の情報を受けると、温水温度８０℃用の開弁率で温水弁９ｄを制御する。
【００５０】
このように実施例６によれば、温水弁９ｄの近傍に設置した制御ユニット９ｃと熱源機１との間の配線工事が不要となり、かつ、きめ細かな温水弁９ｄの制御を行うことができる。
【００５１】
【発明の効果】
以上のように本発明の請求項１によれば、無線床暖房リモコンと温水供給管上に設けた温水弁との配線を無線化することで、そのための床下配線あるいは露出配線の工事が不要となるとともに、熱源機と前記温水弁とを制御ユニットを介して有線接続し、しかも制御ユニットは点検窓を利用して設置できる温水弁の近傍にあるので、熱源機の直下で温水弁と有線接続する際の配線工事上の不都合を解消することができ、既築住宅の温水床暖房のリフォーム工事の施工性を格段に向上させる温水床暖房システムを提供することができる。
【００５２】
本発明の請求項２によれば、前記配線工事が不要になるばかりでなく、往分岐管に設けた温度センサーの検出温度に応じて前記温水弁の開弁率を制御することができるので、床暖房パネルと温水エアコンや浴室暖房機等、放熱機と同様機能の他の温水暖房端末とを同時に使用した場合でも、快適な温水床暖房システムを提供することができる。
【００５３】
本発明の請求項３によれば、温度センサーを床暖房パネルそのものに設けるようにすることで、前記温水弁の開弁率をさらにきめこまかく制御し、より快適な温水床暖房が可能となるという有利な効果を有する。
【００５４】
本発明の請求項４によれば、有線の通信電文により制御ユニットは熱源機の温水温度の変化を知り、前記温水弁の開弁率をきめこまかく制御をすることができるのでさらに快適な温水床暖房システムを提供することができる。
【００５５】
本発明の請求項５によれば、熱源機への運転指示を無線信号で受ける熱源機通信ユニットを熱源機の近傍に設けることで、往分岐管が熱源機と遠隔の隠蔽部に設置されている場合などでも、有線接続工事が不要となり、容易に温水床暖房システムを提供することができる。
【００５６】
本発明の請求項６によれば、熱源機への運転指示、温水温度要求およびその受諾返信を無線信号で受ける熱源機通信ユニットを熱源機の近傍に設けることで、前記温水弁の近傍に設置した制御ユニットと熱源機との間の配線工事が不要となり、かつ、温水弁の開弁率をきめこまかく制御をすることができるので快適な温水床暖房システムを提供することができる。
【図面の簡単な説明】
【図１】本発明の実施例１の無線温水床暖房システムのブロック構成図。
【図２】本発明の実施例２の無線温水床暖房システムのブロック構成図。
【図３】本発明の実施例３の無線温水床暖房システムのブロック構成図。
【図４】本発明の実施例４の無線温水床暖房システムのブロック構成図。
【図５】本発明の実施例５の無線温水床暖房システムのブロック構成図。
【図６】本発明の実施例６の無線温水床暖房システムのブロック構成図。
【図７】リフォーム前の温水暖房システムのブロック構成図。
【図８】リフォーム前の温水暖房システムの接点並列接続の簡略回路図。
【図９】従来の技術によるリフォーム後の温水床暖房システムのブロック構成図。
【図１０】従来の技術による無線温水床暖房システムのブロック構成図。
【符号の説明】
１  熱源機
１ａ  ポンプ
１ｄ  発熱体
１ｅ  吸熱熱交換器
３  放熱機
３ａ  放熱熱交換器
３ｂ  ファン
３ｃ  温水弁
４  温水エアコン
５  浴室暖房機
６  往分岐管
７  復分岐管
８  信号線
９  床暖房パネル
９Ａ  無線床暖房リモコン
９ｂ  通信ユニット
９ｃ  制御ユニット
９ｄ  温水弁
９ｅ１  往分岐管に設けた温度センサー
９ｅ２  床暖房パネルに設けた温度センサー
９ｆ、９ｇ  専用の信号線
１０  温水供給管
【図１】
2004169982.tif 000003
【図２】
2004169982.tif 000004
【図３】
2004169982.tif 000005
【図４】
2004169982.tif 000006
【図５】
2004169982.tif 000007
【図６】
2004169982.tif 000008
【図７】
2004169982.tif 000009
【図８】
2004169982.tif 000010
【図９】
2004169982.tif 000011
【図１０】
2004169982.tif 000012